【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
ランプ（１０８）を動作させる電子安定器（１０２）であって、
入力ＡＣ電力を受け取るように構成されており、整流済みＤＣ電圧を供給する整流器出力（１１２）を有する整流器（１１０）と、
前記整流済みＤＣ電圧をコンバータＤＣ出力電圧へ変換するように動作するＤＣ−ＤＣコンバータ（１２０）であって、
降圧型コンバータ（２１０）と、
昇圧型コンバータ（２２０）と
を含んでおり、前記降圧型コンバータ（２１０）は、
前記整流器出力（１１２）に跨がって第一の回路分枝において直列に結合されている第一及び第二の降圧型コンバータ・キャパシタンス（Ｃ１、Ｃ２）と、
降圧型コンバータ出力（２１２）に跨がって第二の回路分枝において直列に結合されている第一及び第二の降圧型コンバータ・ダイオード（Ｄ１、Ｄ２）と、
前記整流器出力（１１２）と前記降圧型コンバータ出力（２１２）との間に結合されて動作すると共に、前記降圧型コンバータ出力（２１２）において中間ＤＣ電圧を供給するために前記整流済みＤＣ電圧を選択的に変換するように少なくとも一つの降圧型コンバータ制御信号（１３２）に従って動作する第一及び第二の降圧型コンバータ・スイッチ開閉素子（Ｑ１、Ｑ２）と
を含んでおり、
前記昇圧型コンバータ（２２０）は、
前記降圧型コンバータ出力（２１２）と結合されているインダクタンス（Ｌ）と、
該インダクタンス（Ｌ）とコンバータ出力（１２２）との間に結合されている昇圧型コンバータ・ダイオード（Ｄ３）と、
前記コンバータ出力（１２２）に跨がって結合されている昇圧型コンバータ・キャパシタンス（Ｃ３）と、
前記降圧型コンバータ出力（２１２）と前記コンバータ出力（１２２）との間に結合されており、前記コンバータ出力（１２２）において前記コンバータＤＣ出力電圧を供給するために前記中間ＤＣ電圧を選択的に変換するように昇圧型コンバータ制御信号（１３４）に従って動作可能である昇圧型コンバータ・スイッチ開閉素子（Ｑ３）と
を含んでいる、ＤＣ−ＤＣコンバータ（１２０）と、
前記コンバータ出力（１２２）に結合されて動作すると共に、ランプ（１０８）を駆動するためにインバータ出力（１０６）においてＡＣ出力電圧を供給するように前記コンバータＤＣ出力電圧を変換するように動作するインバータ（１４０）と
を備えた電子安定器（１０２）。
【請求項２】
前記降圧型コンバータ（２１０）は、前記整流器出力（１１２）と前記降圧型コンバータ出力（２１２）との間に上側及び下側回路分枝を含んでおり、前記降圧型コンバータ・スイッチ開閉素子の一方（Ｑ１）は前記上側回路分枝に設けられており、前記降圧型コンバータ・スイッチ開閉素子の他方（Ｑ２）は前記下側回路分枝に設けられている、請求項１に記載の電子安定器（１０２）。
【請求項３】
前記降圧型コンバータ（２１０）は、前記整流器出力（１１２）と前記降圧型コンバータ出力（２１２）との間に上側及び下側回路分枝を含んでおり、前記降圧型コンバータ・スイッチ開閉素子の両方（Ｑ１、Ｑ２）が前記上側回路分枝に設けられており、前記降圧型コンバータ（２１０）は、前記第一及び第二の降圧型コンバータ・スイッチ開閉素子（Ｑ１、Ｑ２）を結ぶ第一の節点（３０１）と前記第一及び第二の降圧型コンバータ・ダイオード（Ｄ１、Ｄ２）を結ぶ第二の節点（３０２）との間に結合されている第三の降圧型コンバータ・キャパシタンス（Ｃ４）をさらに含んでいる、請求項１に記載の電子安定器（１０２）。
【請求項４】
前記降圧型コンバータ（２１０）は、前記第一及び第二の降圧型コンバータ・キャパシタンス（Ｃ１、Ｃ２）を結ぶ第三の節点（３０３）と結合された陽極と、前記第一の節点（３０１）と結合された陰極とを有する第三のダイオード（Ｄ４）と、前記第二の節点（３０２）と結合された陽極と、前記第三の節点（３０３）と結合された陰極とを有する第四のダイオード（Ｄ５）とをさらに含んでいる、請求項３に記載の電子安定器（１０２）。
【請求項５】
電子安定器（１０２）において整流済みＤＣ電圧をコンバータＤＣ出力電圧へ変換するＤＣ−ＤＣコンバータ（１２０）であって、
降圧型コンバータ（２１０）と、
昇圧型コンバータ（２２０）と
を備え、
前記降圧型コンバータ（２１０）は、
前記整流済みＤＣ電圧に跨がって第一の回路分枝において直列に結合されている第一及び第二の降圧型コンバータ・キャパシタンス（Ｃ１、Ｃ２）と、
降圧型コンバータ出力（２１２）に跨がって第二の回路分枝において直列に結合されている第一及び第二の降圧型コンバータ・ダイオード（Ｄ１、Ｄ２）と、
前記整流済みＤＣ電圧と前記降圧型コンバータ出力（２１２）との間に結合されて動作すると共に、前記降圧型コンバータ出力（２１２）において中間ＤＣ電圧を供給するために前記整流済みＤＣ電圧を選択的に変換するように少なくとも一つの降圧型コンバータ制御信号（１３２）に従って動作する第一及び第二の降圧型コンバータ・スイッチ開閉素子（Ｑ１、Ｑ２）と
を含んでおり、
前記昇圧型コンバータ（２２０）は、
前記降圧型コンバータ出力（２１２）と結合されているインダクタンス（Ｌ）と、
該インダクタンス（Ｌ）とコンバータ出力（１２２）との間に結合されている昇圧型コンバータ・ダイオード（Ｄ３）と、
前記コンバータ出力（１２２）に跨がって結合されている昇圧型コンバータ・キャパシタンス（Ｃ３）と、
前記降圧型コンバータ出力（２１２）と前記コンバータ出力（１２２）との間に結合されており、前記コンバータ出力（１２２）において前記コンバータＤＣ出力電圧を供給するために前記中間ＤＣ電圧を選択的に変換するように昇圧型コンバータ制御信号（１３４）に従って動作可能である昇圧型コンバータ・スイッチ開閉素子（Ｑ３）と
を含んでいる、ＤＣ−ＤＣコンバータ（１２０）。
【請求項６】
前記降圧型コンバータ・キャパシタンス（Ｃ１、Ｃ２）及び前記降圧型コンバータ・ダイオード（Ｄ１、Ｄ２）は、前記第一及び第二の降圧型コンバータ・スイッチ開閉素子（Ｑ１、Ｑ２）に跨がる個々の電圧を前記整流済みＤＣ電圧の約２分の１以下に制限する、請求項５に記載のＤＣ−ＤＣコンバータ（１２０）。
【請求項７】
前記降圧型コンバータ（２１０）は、前記整流済みＤＣ電圧と前記降圧型コンバータ出力（２１２）との間に上側及び下側回路分枝を含んでおり、前記降圧型コンバータ・スイッチ開閉素子の一方（Ｑ１）は前記上側回路分枝に設けられており、前記降圧型コンバータ・スイッチ開閉素子の他方（Ｑ２）は前記下側回路分枝に設けられている、請求項５又は６に記載のＤＣ−ＤＣコンバータ（１２０）。
【請求項８】
前記降圧型コンバータ（２１０）は、前記整流済みＤＣ電圧と前記降圧型コンバータ出力（２１２）との間に上側及び下側回路分枝を含んでおり、前記降圧型コンバータ・スイッチ開閉素子の両方（Ｑ１、Ｑ２）が前記上側回路分枝に設けられており、前記降圧型コンバータ（２１０）は、前記第一及び第二の降圧型コンバータ・スイッチ開閉素子（Ｑ１、Ｑ２）を結ぶ第一の節点（３０１）と、前記第一及び第二の降圧型コンバータ・ダイオード（Ｄ１、Ｄ２）を結ぶ第二の節点（３０２）との間に結合されている第三の降圧型コンバータ・キャパシタンス（Ｃ４）をさらに含んでいる、請求項５又は６に記載のＤＣ−ＤＣコンバータ（１２０）。
【請求項９】
前記降圧型コンバータ（２１０）は、
前記第一及び第二の降圧型コンバータ・キャパシタンス（Ｃ１、Ｃ２）を結ぶ第三の節点（３０３）と結合された陽極と、前記第一の節点（３０１）と結合された陰極とを有する第三のダイオード（Ｄ４）と、
前記第二の節点（３０２）と結合された陽極と、前記第三の節点（３０３）と結合された陰極とを有する第四のダイオード（Ｄ５）と
をさらに含んでいる、請求項８に記載のＤＣ−ＤＣコンバータ（１２０）。
【請求項１０】
前記降圧型コンバータ出力（２１２）において前記整流済みＤＣ電圧を前記中間ＤＣ電圧へ選択的に変換するように前記少なくとも一つの降圧型コンバータ制御信号（１３２）を供給すると共に、前記中間ＤＣ電圧を前記コンバータＤＣ出力電圧へ選択的に変換するように前記昇圧型コンバータ制御信号（１３４）を供給するＤＣ−ＤＣコンバータ制御器（１３０）であって、前記第一及び第二の降圧型コンバータ・スイッチ開閉素子が異なる時刻に「入」になるように前記降圧型コンバータ制御信号（１３２）を選択的に供給するように動作するＤＣ−ＤＣコンバータ制御器（１３０）をさらに含んでいる請求項５に記載のＤＣ−ＤＣコンバータ。